(57)【要約】【課題】本発明は、加湿機に関するもので、長期間にわたって吸水性能が維持できるようにすることを目的とする。【解決手段】そして、この目的を達成するために本発明は、給水体１０を、下部が、前記加湿容器７内の水に浸漬され、中部が上方に立ち上げられ、上部が、水平方向に折り曲げられた後に、前記加湿体９の上部に当接された吸水体１２と、この吸水体１２の中部外周部分を覆った非通風体１３とにより構成したので、長期間にわたって吸水性能が維持できるようになる。【選択図】図１
2015059702.tif 000002
【特許請求の範囲】
【請求項１】
空気の吸込口と吹出口を有する本体ケースと、この本体ケース内に設けた加湿容器と、この加湿容器内の水に、その下部が浸漬される加湿手段と、前記吸込口から吸い込んだ空気を前記加湿手段に接触後、前記吹出口から吹出すファンとを備え、前記加湿手段は、下部が前記加湿容器内の水に浸漬され、上部が上方に立ち上げられた加湿体と、この加湿体の上部に水を供給する給水体とにより構成され、前記給水体は、下部が、前記加湿容器内の水に浸漬され、中部が上方に立ち上げられ、上部が、水平方向に折り曲げられた後に、前記加湿体の上部に当接された吸水体と、この吸水体の中部外周部分を覆った非通風体とを有し、前記非通風体の上部には、前記吸水体水平方向折曲部下面を支持する支持部を設けた加湿機。
【請求項２】
吸水体は平板状とし、この吸水体の中部表裏面を非通風体で覆った請求項１に記載の加湿機。
【請求項３】
加湿容器の底面上には、非通風体の着脱取付部を設けた請求項１または２に記載の加湿機。
【請求項４】
加湿容器の着脱取付部は、非通風体の下部を挿入する溝によって構成した請求項３に記載の加湿機。
【請求項５】
加湿体の表裏面を保持する枠体を設け、この枠体を、着脱自在に取り付ける着脱取付部を設けた請求項３または４に記載の加湿機。
【請求項６】
加湿容器の着脱取付部は、枠体の下部を挿入する溝によって構成した請求項５に記載の加湿機。
【請求項７】
加湿体は平面視で、Ｖ字状、またはＵ字状とし、吸水体の上部は、平面視で、前記Ｖ字状、またはＵ字状を含む面を形成し、前記加湿体のＶ字状、またはＵ字状に前記上部を当接させて配置した請求項１から６のいずれか一つに記載の加湿機。
【請求項８】
加湿体を合成樹脂繊維の網目状織物で形成し、この加湿体の平面視で、Ｖ字状、またはＵ字状の折曲部には、溶着による折曲容易部を形成した請求項７に記載の加湿機。
【請求項９】
加湿体は平面視で、Ｖ字状、またはＵ字状が複数個連結された形状とし、前記平面視で、Ｖ字状、またはＵ字状の加湿体のＶ字状、またはＵ字状に当接させるように、平面視で、Ｖ字状、またはＵ字状を含む面を形成した吸水体を、それぞれ配置した請求項７に記載の加湿機。
【請求項１０】
加湿体を合成樹脂繊維の網目状織物で形成し、この加湿体の平面視で、Ｖ字状、またはＵ字状の折曲部、および、複数連結部には、溶着による折曲容易部を形成した請求項９に記載の加湿機。
【発明の詳細な説明】
【技術分野】
【０００１】
本発明は、給水素子を用いた加湿機に関するものである。
【背景技術】
【０００２】
加湿機に用いられる加湿手段は、編物や不織布によって形成され、その下部を給水容器内の水に浸漬させることで、水を上方に吸い上げ、そこにファンからの風を通過させることで、水を蒸発させ、これを加湿に供する構成となっている（例えば、これに類似する先行文献としては下記特許文献１が存在する）。
【先行技術文献】
【特許文献】
【０００３】
【特許文献１】特開２００５−１５６００６号公報
【発明の概要】
【発明が解決しようとする課題】
【０００４】
上記従来例で問題となるのは、長期使用によって給水性能が低下してしまうということであった。
【０００５】
すなわち、加湿水は、通常、水道水が使用され、水道水中にはＣａなどのスケール成分が含まれているので、この給水素子に空気を通過させる構造では、長期使用にともない、給水素子に水中のスケールが析出し、その結果として、給水性能が低下してしまうのであった。
【０００６】
そこで、本発明は、長期間にわたって吸水性能が維持できるようにすることを目的とするものである。
【課題を解決するための手段】
【０００７】
そして、この目的を達成するために本発明の給水素子は、空気の吸込口と吹出口を有する本体ケースと、この本体ケース内に設けた加湿容器と、この加湿容器内の水に、その下部が浸漬される加湿手段と、前記吸込口から吸い込んだ空気を前記加湿手段に接触後、前記吹出口から吹出すファンとを備え、前記加湿手段は、下部が前記加湿容器内の水に浸漬され、上部が上方に立ち上げられた加湿体と、この加湿体の上部に水を供給する給水体とにより構成され、前記給水体は、下部が、前記加湿容器内の水に浸漬され、中部が上方に立ち上げられ、上部が、水平方向に折り曲げられた後に、前記加湿体の上部に当接された吸水体と、この吸水体の中部外周部分を覆った非通風体とを有し、前記非通風体の上部には、前記吸水体水平方向折曲部下面を支持する支持部を設け、これにより所期の目的を達成するものである。
【発明の効果】
【０００８】
以上のように本発明の給水素子は、空気の吸込口と吹出口を有する本体ケースと、この本体ケース内に設けた加湿容器と、この加湿容器内の水に、その下部が浸漬される加湿手段と、前記吸込口から吸い込んだ空気を前記加湿手段に接触後、前記吹出口から吹出すファンとを備え、前記加湿手段は、下部が前記加湿容器内の水に浸漬され、上部が上方に立ち上げられた加湿体と、この加湿体の上部に水を供給する給水体とにより構成され、前記給水体は、下部が、前記加湿容器内の水に浸漬され、中部が上方に立ち上げられ、上部が、水平方向に折り曲げられた後に、前記加湿体の上部に当接された吸水体と、この吸水体の中部外周部分を覆った非通風体とを有し、前記非通風体の上部には、前記吸水体水平方向折曲部下面を支持する支持部を設けたので、長期間にわたって吸水性能が維持できるようになる。
【０００９】
すなわち、本発明においては、それ自身も水を吸い上げる加湿体の上部に、給水体から水を供給する構成としたので、加湿体には十分な水が供給され、その結果として加湿能力の高いものとなる。
【００１０】
また、前記給水体は、下部が、前記加湿容器内の水に浸漬され、中部が上方に立ち上げられ、上部が、水平方向に折り曲げられた後に、前記加湿体の上部に当接された吸水体と、この吸水体の中部外周部分を覆った非通風体とにより構成したので、長期間にわたって吸水性能が維持できるようになる。
【００１１】
すなわち、吸水体の中部外周部分を非通風体で覆ったので、この吸水体中部をファンからの送風が通過することはなく、その結果としてこの部分に水中のスケールが析出することもなく、これにより加湿体の上部に、給水体から長期間にわたって安定的に給水することができ、結論として、長期間にわたって安定的に吸水性能を維持ですることがきるようになるのである。
【００１２】
さらに、本発明では、前記非通風体の上部には、前記吸水体水平方向折曲部下面を支持する支持部を設けたので、前記給水体は、吸水体と、これを全体的に保持した非通風体の一体ものとして扱うことが出来、極めて使い勝手の良いものとすることが出来る。
【図面の簡単な説明】
【００１３】
【図１】本発明の実施の形態１の加湿機を示す透視斜視図
【図２】同加湿機の透視平面図
【図３】同加湿機の加湿手段の斜視図
【図４】同加湿機の加湿手段の分解斜視図
【図５】図３のＡ部分の拡大正面図
【図６】図３のＡ部分の拡大斜視図
【図７】同加湿機の加湿体の展開斜視図
【発明を実施するための形態】
【００１４】
以下、本発明の実施の形態について図面を参照しながら説明する。
【００１５】
（実施の形態１）
図１、図２において、１は箱形状の本体ケースで、その前面側下部には吸込口２、その上面には吹出口３が形成されている。
【００１６】
つまり、この本体ケース１内には、前記吸込口２と吹出口３を結ぶ通風路４が形成され、この通風路４に加湿手段５が配置され、前記通風路４の加湿手段５と吹出口３間にファン６が配置されている。
【００１７】
つまり、ファン６によって、前記吸込口２から吸い込んだ空気を、前記加湿手段５に接触後、前記吹出口３から吹出すことで、加湿動作を行わせるものである。
【００１８】
そのために、本体ケース１内の底面部には、加湿容器７が設けられ、この加湿容器７内には、水タンク８水が、定量水位まで供給されるようになっている。
【００１９】
前記加湿手段５は、図３、図４のごとく、下部が前記加湿容器７内の水に浸漬され、上部が上方に立ち上げられた加湿体９と、この加湿体９の上部に水を供給する給水体１０と、給水体１０の上面にかぶせられたカバー１１とにより構成されている。
【００２０】
また、前記給水体１０は、下部が、前記加湿容器７内の水に浸漬され、中部が上方に立ち上げられ、上部が、左右の水平方向に折り曲げられた後に、前記加湿体９の上部に当接された吸水体１２と、この吸水体１２の中部外周部分を覆った非通風体１３と、吸水体上部を覆った吸水体カバー１４を有し、前記非通風体１３の上部には、前記吸水体１２水平方向折曲部下面を支持する支持部１５を設けた。
【００２１】
各部について、さらに詳細に説明すると、加湿体９は、図６、図７に示すように、合成樹脂の繊維を網目状に編みこんだもので形成され、これを図２に示すごとく、平面視がＶ字状、またはＵ字状が複数個連結された形状（Ｗ字状）に折り曲げやすくするために、加湿体９の平面視で、Ｖ字状、またはＵ字状の折曲部、および、複数連結部には、溶着による折曲容易部１６を形成した。
【００２２】
つまり、加湿容器７の底面上には、平面視がＶ字状、またはＵ字状が複数個連結された形状（Ｗ字状）の枠体１７の下部が着脱自在に取り付けられる着脱取付部として溝１８が形成されている。
【００２３】
そして、この溝１８に取付けられた枠体１７の上部開口部から、加湿体９が、下方へと押し込んだ状態で挿入されるのであるが、そのときに上記折曲容易部１６で加湿体９を折り曲げるのである。
【００２４】
この結果として、図７のごとく、平板状の加湿体９が、図１〜図４のごとく、平面視がＶ字状、またはＵ字状が複数個連結された形状（Ｗ字状）となるのである。
【００２５】
また、溝１８内には、吸水体１２の中部表裏面（外周部分）を覆った非通風体１３の下部も挿入され、その場所に着脱自在に取付けられる。
【００２６】
つまり、吸水体１２は、図４からも理解されるように、平面視で、加湿体９のＶ字状、またはＵ字状を含む面の形状をなしており、この図４のごとく、前記吸水体１２の中部外周部分を覆った非通風体１３と、吸水体１２上部を覆った吸水体カバー１４と、前記吸水体１２水平方向折曲部下面を支持する支持部１５が一体となった給水体１０が、左右に２個、加湿容器７の溝１８に着脱自在に取り付けられるのである。
【００２７】
そして、この状態では、吸水体１２の上部左右端である給水体水平方向折曲部２２は、その下面において、それぞれ、加湿体９の上端を覆った状態で当接する。
【００２８】
このため、吸水体１２で吸い上げた水を加湿体９の上端から供給することが出来る。
【００２９】
また、本実施形態においては、吸水体１２の上面を覆った吸水体カバー１４を設けることで、吸水体１２の上部を加湿体９の上部に押し付けることとした。
【００３０】
このため、吸水体１２で吸い上げた水を加湿体９の上端から安定的に供給することが出来るようになった。
【００３１】
また、この吸水体カバー１４には、図５のごとく、上面の網目状開口部１９と、加湿体９の外側を下方に下がった垂下部２０を設け、この垂下部２０には、加湿体９側に食い込む突起２１を設けた。
【００３２】
このため、この吸水体カバー１４を設けた給水体１０を加湿体の上から加湿容器７の溝１８に装着すると、突起２１が加湿体９の網目に食い込んだ状態となる。
【００３３】
つまり、吸水体１２の上部を加湿体９の上部に押し付ける状態が安定し、その結果として、吸水体１２で吸い上げた水を加湿体９の上端から安定的に供給することが出来るようになる。
【００３４】
以上のごとく、本実施形態によれば、それ自身も水を吸い上げる加湿体９の上部に、給水体１０から水を供給する構成としたので、加湿体９には十分な水が供給され、その結果として加湿能力の高いものとなる。
【００３５】
すなわち、ファン６によって、前記吸込口２から吸い込んだ空気を、前記加湿体９の網目を、図２の下から上方向（図１では手前から後方へと）通過、接触させれば、ここで、水を蒸発させ、それを前記吹出口３から吹出すことで、加湿動作を行わせることができるものである。
【００３６】
また、前記給水体１０は、下部が、前記加湿容器７内の水に浸漬され、中部が上方に立ち上げられ、上部が、水平方向に折り曲げられた後に、前記加湿体９の上部に当接された吸水体１２と、この吸水体１２の中部外周部分を覆った非通風体１３とにより構成したので、長期間にわたって吸水性能が維持できるようになる。
【００３７】
すなわち、吸水体１２の中部外周部分を非通風体１３で覆ったので、この吸水体１２中部をファン６からの送風が通過することはなく、その結果としてこの部分に水中のスケールが析出することもなく、これにより加湿体９の上部に、給水体１０から長期間にわたって安定的に給水することができ、結論として、長期間にわたって安定的に吸水性能を維持ですることがきるようになるのである。
【００３８】
さらに、前記非通風体１３の上部には、前記吸水体１２水平方向折曲部下面を支持する支持部１５を設けたので、前記給水体１０は、吸水体１２と、これを全体的に保持した非通風体１３の一体ものとして扱うことが出来る。すなわち、前記給水体１０は、前記吸水体１２の中部外周部分を覆った非通風体１３と、吸水体１２上部を覆った吸水体カバー１４と、前記吸水体１２水平方向折曲部下面を支持する支持部１５が一体となっており、吸水体１２は、加湿容器７内の水に浸漬された部分と、加湿体９の上端と当接する部分を除いて周りが覆われており、乾燥によるスケールの析出を防ぐことができる。一方で、前記吸水体カバー１４の上面には網目状開口部１９が設けられており、洗浄時には洗浄液が容易に浸透するため、内部の吸水体１２を取り出す必要がなく、極めて使い勝手の良いものとすることが出来る。尚、前記網目状開口部１９は上部からカバー１１で覆われるため、そこから吸水体１２が乾燥することはない。
【産業上の利用可能性】
【００３９】
以上のように本発明は、それ自身も水を吸い上げる加湿体の上部に、給水体から水を供給する構成としたので、加湿体には十分な水が供給され、その結果として加湿能力の高いものとなる。
【００４０】
また、前記給水体は、下部が、前記加湿容器内の水に浸漬され、中部が上方に立ち上げられ、上部が、水平方向に折り曲げられた後に、前記加湿体の上部に当接された吸水体と、この吸水体の中部外周部分を覆った非通風体とにより構成したので、長期間にわたって吸水性能が維持できるようになる。
【００４１】
すなわち、吸水体の中部外周部分を非通風体で覆ったので、この吸水体中部をファンからの送風が通過することはなく、その結果としてこの部分に水中のスケールが析出することもなく、これにより加湿体の上部に、給水体から長期間にわたって安定的に給水することができ、結論として、長期間にわたって安定的に吸水性能を維持ですることがきるようになるのである。
【００４２】
さらに、本発明では、前記非通風体の上部には、前記吸水体水平方向折曲部下面を支持する支持部を設けたので、前記給水体は、吸水体と、これを全体的に保持した非通風体の一体ものとして扱うことが出来、極めて使い勝手の良いものとすることが出来る。
【００４３】
したがって、加湿機に活用することが期待される。
【符号の説明】
【００４４】
１  本体ケース
２  吸込口
３  吹出口
４  通風路
５  加湿手段
６  ファン
７  加湿容器
８  水タンク
９  加湿体
１０  給水体
１１  カバー
１２  吸水体
１３  非通風体
１４  吸水体カバー
１５  支持部
１６  折曲容易部
１７  枠体
１８  溝
１９  網目状開口部
２０  垂下部
２１  突起
２２  給水体水平方向折曲部
【図１】
2015059702.tif 000003
【図２】
2015059702.tif 000004
【図３】
2015059702.tif 000005
【図４】
2015059702.tif 000006
【図５】
2015059702.tif 000007
【図６】
2015059702.tif 000008
【図７】
2015059702.tif 000009